(57)【特許請求の範囲】
【請求項１】
柔軟性を有する合成樹脂シートで成形し折り畳みができる容器本体の周辺部に、上下方向に延びる溝を設けて凹凸状の補強部を形成し、容器本体の周辺部を折り曲げて上下に押しつぶして折り畳む時に底部に対して開口を周方向に回転させると凹凸状の補強部に沿って折り曲がることを特徴とする釣り用バケツ。
【請求項２】
容器本体の周辺部に角部を有し、前記凹凸状の補強部は前記角部に設けたことを特徴とする請求項１記載の釣り用バケツ。
【請求項３】
前記凹凸状の補強部は複数並設して設けられていることを特徴とする請求項１または２記載の釣り用バケツ。
【発明の詳細な説明】
【０００１】
【発明の属する技術分野】
本発明は、容器本体の周辺部に凹凸状の補強部を設けてへこみ、潰れることを補強した釣り用バケツの改良に関する。
【０００２】
【従来の技術】
従来から釣り用バケツは合成樹脂のシ−ト材で形成された容器を有し、撒き餌を入れたり、釣れた魚を入れておく等の用途に使用されており、釣りをしている最中は釣り人は足元に置いて使用している。
釣り用バケツは柔軟性を有する合成樹脂シ−トで形成されているため使用しないときは折り畳んで置くことも出来て携帯に便利であるが、使用しているときは容器が自立して開口が広がっていることが好ましい。
従来の釣り用バケツは、厚さ０．５〜１．０ｍｍ程度のエチレン酢酸ビニ−ル等の合成樹脂シ−トで四角又は丸形（円筒状）に形成され、容器を形成するシ−トの弾性により或程度の自立性を有しているが、収納物が少なかったり、風が強いときは容器の周辺部が折れ曲がって開口がふさがってしまったり、潰れてしまうことがあった。
【０００３】
また、従来技術として、実開昭５０−１５７３４３号公報のように周囲に沿ってフレ−ムを設けて支えたものがあるが、重くなり、構造が複雑に成りすぎる。
さらに、特開２０００−１８９０２８号公報には、周辺部の角部に空間を設けて内壁が一体に形成されており、この空間の中を重りが移動して、水汲みの際に容器がひっくり返りやすくなっている。
ところが、この様な構成では容器の折り畳みが難しくなってしまう虞があった。
また、この様に空間を置いて内壁を一体に設けると成形が難しくなり、容器内部のスペ−スが小さくなってしまうという欠点もあった。
【０００４】
【発明が解決しようとする課題】
解決しようとする問題点は、従来の釣り用バケツは、収納物が少なかったり、風が強いときは容器の周辺部が折れ曲がって開口が塞がれてしまったり、潰れてしまうことがあること。
前記前者の構成では、周囲に沿ってフレ−ムを設けると、重くなり、構造が複雑に成りすぎることである。
前記後者の構成では、空間を置いて内壁を一体に設けているため容器の折り畳みが難しくなってしまう虞があることである。
【０００５】
本発明の目的は前記欠点に鑑み、容器本体の周辺部に、上下方向に延びる凹凸状の補強部を形成してへこみや潰れが起きず常時開口が開いている釣り用バケツを提供することである。
【０００６】
【課題を解決するための手段】
上記課題を解決するために、
請求項１に係わる本発明は、柔軟性を有する合成樹脂シートで成形し折り畳みができる容器本体の周辺部に、上下方向に延びる溝を設けて凹凸状の補強部を形成し、容器本体の周辺部を折り曲げて上下に押しつぶして折り畳む時に底部に対して開口を周方向に回転させると凹凸状の補強部に沿って折り曲がることを要旨とするものである。
請求項２に係わる本発明は、容器本体の周辺部に角部を有し、前記凹凸状の補強部は前記角部に設けたことを要旨とするものである。
請求項３に係わる本発明は、前記凹凸状の補強部は複数並設して設けられているこを要旨とするものである。
【０００７】
【発明の実施の形態】
請求項１の本発明により、釣り用バケツを広げた時に、容器本体１、１′の周辺部１ｂが折れ曲がって潰れてしまうことが防止され、また容器本体１、１′の折り畳みも容易に行うことが出来る。
請求項２の本発明により、容器本体１′の周辺部１ｂに角部１ｈが設けられたことに加え、さらに角部１ｈが凹凸状の補強部１ｇで補強されて容器本体１′が潰れてしまうことが防止され、また容器本体１′の折り畳みも容易に行うことが出来る。
請求項３の本発明により、凹凸状の補強部１ｇは複数並設して設けられているためより確実に容器本体１、１′の潰れが防止できる。
【０００８】
【実施例】
以下、本発明の実施例を図面に基づき説明すると、図１から図４は第１実施例で、図１は丸形の釣り用バケツの斜視図、図２は釣り用バケツの断面正面図と一部拡大断面正面図、図３は容器本体の一部拡大断面平面図、図４は釣り用バケツが折り畳まれる過程の斜視図である。
【０００９】
釣り用バケツは丸形の容器本体１の上方の開口１ａの両側部に支持部２、２が固定されて支持部２、２に下げ紐３が取り付けられている。
容器本体１は、例えばエチレン酢酸ビニ−ル等の合成樹脂製シ−トで形成され防水性と柔軟性を有している。
容器本体１は周辺部１ｂの一側と他側が重ねられて高周波溶着等で溶着固定され、周辺部１ｂの下端の外側に折り返された溶着部１ｃが底部１ｄに重ねられて高周波溶着等で溶着固定されて丸い円筒状の直方体に形成されている。
容器本体１の周辺部１ｂの開口縁に金属線４がシ−ト材で包み込まれ、周辺部１ｂは開口１ａにおいて内側から外側へ折り返されて周辺部１ｂに縫着または高周波溶着等で固定されて固定部１ｅとなり、折り返しの端部１ｆは固定部１ｅより外方へ突出されている。
容器本体１の周辺部１ｂの複数箇所には、折り返しの端部１ｆより下方の溶着部１ｃの上まで、すなわち、容器本体１の開口１ａ側から底部１ｄ側まで上下方向に連続した溝で凹凸状の補強部１ｇが形成されている。
【００１０】
支持部２は例えばエチレン酢酸ビニ−ル等の合成樹脂製シ−トで形成されて上端部２ａは容器本体１の開口上部より上方に突出されている。
上端部２ａには透孔２ｂが形成され下げ紐３が挿通されて設けられている。
【００１１】
凹凸状の補強部１ｇは、容器本体１の周辺部１ｂが外側又は内側に突出した溝で形成されている。
この溝は１本でも複数本設けてもよい。
また、この溝は周辺部１ｂを断面波状に形成して容器本体１の外方と内方に交互に突出するようにしても良い。
凹凸状の補強部１ｇは、熱プレスや高周波成形により形成する。
凹凸形状は容器本体１の周辺部１ｂの外側か内側のいずれか一方側が凹んでいればよく、また、その時他方側は平らでも突出していても良い。
この時凹んで溝が形成された部分は周辺と同一肉厚か、また、好ましくは薄肉になっている。
さらに、凹凸状の補強部１ｇを連続的に並べて、波状に形成するとさらに補強効果が大きくなり容器本体１のつぶれが防止される。
【００１２】
尚、凹凸状の補強部１ｇは上下方向に形成されているため、容器本体１のつぶれを防止する他、容器本体１の周辺部１ｂを折曲げて上下に押しつぶして折り畳む時に底部１ｄに対して開口１ａを（または図４のように開口１ａに対して底部１ｄを）周方向に回転させると凹凸状の補強部１ｇに沿って折り曲がり、容器本体１は開口１ａと底部１ｄが畳まれた周辺部１ｂを介して向かい合うように重合して容易に折り畳むことができる。
【００１３】
前記のように釣り用バケツが構成されると、釣り用バケツを広げた時に、容器本体１の周辺部１ｂが折れ曲がって潰れてしまうことが防止され、また容器本体１の折り畳みも容易に行うことが出来る。
凹凸状の補強部１ｇは複数並設して設けられているためより確実に容器本体１の潰れが防止できる。
【００１４】
図５から図９は第２実施例で、図５は四角の釣り用バケツの斜視図、図６は容器本体の一部拡大断面平面図、図７は釣り用バケツが折り畳まれる過程の斜視図、図８は釣り用バケツが折り畳まれて底部が開口の内側に差し込まれた開口側の斜視図、図９は釣り用バケツが折り畳まれて底部が開口の内側に差し込まれた底部側の斜視図である。
【００１５】
第２実施例では、釣り用バケツは四角の箱状の容器本体１′の上方の開口１ａの両側部に支持部２、２が固定されて支持部２、２に下げ紐３が取り付けられている。
容器本体１′の周辺部１ｂの四隅の角部１ｈには、折り返しの端部１ｆより下方の溶着部１ｃの上まで、すなわち、容器本体１′の開口１ａ側から底部１ｄ側まで上下方向に連続した溝で凹凸状の補強部１ｇが形成されている。
他の構成は前記第１実施例と略同一である。
【００１６】
第２実施例の釣り用バケツは四角の箱状の容器本体１′なので、周辺部１ｂの四隅に角部１ｈが形成され、凹凸状の補強部１ｇは、角部１ｈに沿って上下方向に開口１ａ側から底部１ｄ側にかけて形成されると、容器本体１′を広げて使用しているときは角部１ｈがへこみにくくなり、容器本体１′は上下方向にはつぶれにくい。
しかし、折り畳み時は、容器本体１′の周辺部１ｂを折曲して上下に押しつぶし底部１ｄに対して開口１ａを（または図７のように開口１ａに対して底部１ｄを）周方向に回転させると凹凸状の補強部１ｇに沿って角部１ｈが折れ曲がり、容器本体１′は開口１ａと底部１ｄが畳まれた周辺部１ｂを介して向かい合うように重合して容易に折り畳むことができる。
【００１７】
この状態で手を放すと多少上下方向に広がることもあるが、持ち運びにおける収納性が向上する。
図８では図７の状態から底部１ｄを開口１ａの中に押し込んだ状態で、周辺部１ｂの開口縁が内部の金属線を中心に外側が内側に反転されている。
図８の状態を底部１ｄ側から見ると図９の状態となり、手を放しても広がらない。
【００１８】
第２実施例のように釣り用バケツが構成されると、容器本体１′の周辺部１ｂに角部１ｈが設けられたことに加え、さらに角部１ｈが凹凸状の補強部１ｇで補強されて容器本体１′が潰れてしまうことが防止され、また容器本体１′の折り畳みも容易に行うことが出来る。
【００１９】
【発明の効果】
本発明は、以上説明したような形態で実施され、以下に記載されるような効果を奏する。
【００２０】
請求項１により、釣り用バケツを広げた時に、容器本体の周辺部が折れ曲がって潰れてしまうことが防止され、また容器本体の折り畳みも凹凸状の補強部の溝に沿って折り曲がるため容易に行うことが出来る。
請求項２により、容器本体の周辺部に角部が設けられたことに加え、更に角部が凹凸状の補強部で補強されて容器本体が潰れてしまうことが防止され、また、容器本体の折り畳みも容易に行うことが出来る。
請求項３により、凹凸状の補強部は複数並設して設けられているためより確実に容器本体の潰れが防止できる。
【図面の簡単な説明】
【図１】第１実施例で、丸形の釣り用バケツの斜視図である。
【図２】同釣り用バケツの断面正面図と一部拡大断面正面図である。
【図３】同容器本体の一部拡大断面平面図である。
【図４】同釣り用バケツが折り畳まれる過程の斜視図である。
【図５】第２実施例で、四角の釣り用バケツの斜視図である。
【図６】同容器本体の一部拡大断面平面図である。
【図７】同釣り用バケツが折り畳まれる過程の斜視図である。
【図８】同釣り用バケツが折り畳まれて底部が開口の内側に差し込まれた開口側の斜視図である。
【図９】同釣り用バケツが折り畳まれて底部が開口の内側に差し込まれた底部側の斜視図である。
【符号の説明】
１、１′  容器本体
１ｂ  周辺部
１ｇ  凹凸状の補強部
１ｈ  角部
【図１】
0003762682.tif 000002
【図２】
0003762682.tif 000003
【図３】
0003762682.tif 000004
【図４】
0003762682.tif 000005
【図５】
0003762682.tif 000006
【図６】
0003762682.tif 000007
【図７】
0003762682.tif 000008
【図８】
0003762682.tif 000009
【図９】
0003762682.tif 000010